(57)【要約】  【課題】  本願は、製氷皿の清掃が簡単に出来、且つ、アイス室の有効利用が出来、且つ、そのための使い勝手も良い冷凍冷蔵庫を提供するものである。  【解決手段】  本発明の冷凍冷蔵庫は、アイス室(9)に着脱可能に取り付けられる自動製氷機(10)と、前記自動製氷機(10)に設けられ、収納時にモータ部(12)に製氷皿(13)を連結し、引出時に前記製氷皿を取外し可能に保持する引出部(14)とを備えることを特徴とする。モータ部(12)を自動製氷機の本体側に設けて、製氷皿(13)の取外時に、この引出部(14)とは別体とした。これにより、引出部(14)の引出し操作が容易となる。【選択図】  図１０
2006105429.tif 000002
【特許請求の範囲】
【請求項１】
アイス室(9)に着脱可能に取り付けられる自動製氷機(10)と、
前記自動製氷機(10)に設けられ、収納時にモータ部(12)に製氷皿(13)を連結し、引出時に前記製氷皿を取外し可能に保持する引出部(14)とを備えることを特徴とする冷凍冷蔵庫。
【請求項２】
前記自動製氷機(10)は、前記製氷皿(13)を前記モータ部(12)によって回動させて捻りを与えることによりこの製氷皿(13)内の氷を下方へ落下させ、貯氷容器(8)内に貯めるものであることを特徴とする請求項１の冷凍冷蔵庫。
【発明の詳細な説明】
【技術分野】
【０００１】
本発明は、アイス室から自動製氷機を着脱自在に構成した自動製氷機冷凍冷蔵庫に関する。
【背景技術】
【０００２】
特許文献１の冷凍冷蔵庫は、自動製氷機を着脱自在として、氷を使用しない季節には、自動製氷機を取り外して、アイス室を冷凍室として利用している。
【０００３】
また、特許文献２の冷凍冷蔵庫は、製氷皿を着脱自在として、製氷皿の清掃を可能とした冷蔵庫が開示されている。
そして、この両者の利点を組み合わせたような自動製氷機が特許文献３，４等で提案されている。
【特許文献１】特開２００３−２７９２１３号公報
【特許文献２】特開平９−３２４９７０号公報
【特許文献３】特開２０００−３２９４３４号公報
【特許文献４】特開２０００−１６１８２４号公報
【発明の開示】
【発明が解決しようとする課題】
【０００４】
しかし、特許文献３，４等の自動製氷機では、使い勝手の改良が求められている。
本願は、製氷皿の清掃が簡単に出来、且つ、アイス室の有効利用が出来、且つ、そのための使い勝手も良い冷凍冷蔵庫を提供するものである。
【課題を解決するための手段】
【０００５】
本発明の冷凍冷蔵庫は、アイス室(9)に着脱可能に取り付けられる自動製氷機(10)と、前記自動製氷機(10)に設けられ、収納時にモータ部(12)に製氷皿(13)を連結し、引出時に前記製氷皿を取外し可能に保持する引出部(14)とを備えることを特徴とする。
【０００６】
更に、本発明の冷凍冷蔵庫は自動製氷機(10)は、前記製氷皿(13)を前記モータ部(12)によって回動させて捻りを与えることによりこの製氷皿(13)内の氷を下方へ落下させ、貯氷容器(8)内に貯めるものであることを特徴とする。
【発明の効果】
【０００７】
本発明では、自動製氷機の取り外しと、製氷皿の取り外しを別々の機構で具現化すると共に、モータ部(12)を自動製氷機の本体側に設けて、製氷皿(13)の取外時に、この引出部(14)とは別体とした。これにより、引出部(14)の引出し操作が容易となる。
【発明を実施するための最良の形態】
【０００８】
本発明の冷凍冷蔵庫は、アイス室(9)に着脱可能に取り付けられる自動製氷機(10)と、前記自動製氷機(10)に設けられ、収納時にモータ部(12)に製氷皿(13)を連結し、引出時に前記製氷皿を取外し可能に保持する引出部(14)とを備えることを特徴とする。
【実施例１】
【０００９】
図１〜図２２を参照しつつ本発明の実施例１について説明する。
【００１０】
まず、図１について説明する。
【００１１】
図１は、実施例１の冷凍冷蔵庫の正面図である。
【００１２】
この冷凍冷蔵庫(1)には、冷蔵室、アイス室、大小２つの冷凍室、野菜室がもうけられている。ドア(2)は、冷蔵室の回転ドアである。ドア(3)は、アイス室の引出ドアである。ドア(4,5)は、冷凍室の引出ドアである。ドア(6)は、野菜室の引出ドアである。
【００１３】
この冷凍冷蔵庫(1)は、着脱可能な自動製氷機が設けられている。
【００１４】
この自動製氷機の操作について、図２〜図７を参考に説明する。この図２〜図７は、アイス室ドア(3)の周辺の斜視図である。
【００１５】
図２の如く閉じているアイス室ドア(3)を引出すと、図３の如く、自動製氷機(10)が見える。
【００１６】
この自動製氷機(10)には、引出部(14)がある。この引出部(14)は、図４、図５に示すように引出すことが可能である。この様に引出部(14)を引出すと、この引出部(14)には自動製氷用の製氷皿(13)が載置されている。この製氷皿(13)は、図６の如く取り外すことが出来る。
【００１７】
これにより、自動製氷機(10)の製氷皿(13)の清掃が容易となる。
【００１８】
更に、この自動製氷機(10)はロックレバー(15)を倒すことにより冷蔵庫本体との係合が外れ、図７に示すように、この自動製氷機(10)を引出して、この冷蔵庫から外すことが出来る。
【００１９】
この自動製氷機(10)を図８〜図１２に示す。
【００２０】
図８は、正面方向からの斜視図である。図９は後方から見た斜視図である。図１０は引出部(14)を引出した斜視図、図１１は、製氷皿(13)を取り外した斜視図である。
【００２１】
図１２は、自動製氷機(10)の分解斜視図である。
【００２２】
図１２に示すように、この自動製氷機(10)は、主に、ハウジング(11)と、自動製氷機の脱氷用モータユニット(モータ部：12)と、製氷皿(13)とからなる。製氷皿(7)は製氷皿(13)と互換性があり、自動製氷用の製氷皿として交換できる。ハウジング(11)は、枠本体(16)と天板(17)と引出部(14)と側部(16)とからなる。モータ部(12)は枠本体(16)に取り付けられるので、引出部(14)の収納時(図８参照)には、製氷皿(13)に連結される。また、引出部(14)の引出時(図１０、図１１参照)には、前記製氷皿(13)を取外し可能に保持する。
【００２３】
図１３は、アイス室引出ドア(3)である。この引出ドア(3)にはレール(3a,3a)とローラ(3b,3b)が一体に設けられ、このレール(3a,3a)とローラ(3b,3b)、及び、冷蔵庫本体側の案内部とローラにより、引出ドア(3)は前後方向に移動自在に冷蔵庫本体に取り付けられる。
【００２４】
貯氷容器(8)は、この引出ドア(3)のレール(3a,3a)に取り付けられこの引出ドア(3)と一体に前後に移動可能である。貯氷容器(8)はこのレール(3a,3a)等により支持されて、この引出ドア(3)と一体となって、前後方向に移動する。
【００２５】
図１４は、引出ドア(3)を外したアイス室(9)の正面図である。
【００２６】
このアイス室(9)の天井部(9a)には、自動製氷機(10)が配置されている。この天井部(9a)の左右両端付近には、左右の保持部(9b,9c)が設けられている。この左右の保持部(9b,9c)は、自動製氷機(10)の上部の左右両端(10b,10c)を保持して、自動製氷機(10)をアイス室(9)に保持している。
【００２７】
自動製氷機(10)の左側のエリア(10L)は、製氷皿(14)とこの製氷皿(14)から脱氷するためにこの製氷皿(14)を捩るモータ部(12)とを備える自動製氷エリア(10L)である。
【００２８】
自動製氷機(10)の右側のエリア(10R)は、製氷皿載置エリア(10R)である。この自動製氷エリア(10L)と製氷皿載置エリア(10R)は左右方向に並べて設けられている。
【００２９】
図１４に貯氷容器(8)の断面を加えたものが図１５である。この図１５では、貯氷容器(8)の一部を断面して表している。また、製氷皿載置エリア(10R)には、第２の製氷皿(7)を載置している。
【００３０】
この図１５から判るように、保持部(9b,9c)は、自動製氷機(10)の上部左右両端(10b,10c)を保持している。また、この保持部(9b,9c)の取り付け位置は、貯氷容器(8)の左右壁(8b,8c)の上方又はこの上方より外側の冷凍冷蔵庫本体側に設けられている。このような位置に左右の保持部(9b,9c)を設けて、前記自動製氷機(10)を着脱自在に保持している。
【００３１】
この自動製氷機(10)は、製氷皿(13)をモータ部(12)によって回動させて捻りを与えることによりこの製氷皿(13)内の氷を下方へ落下させ、前記貯氷容器(8)内に貯めるものである。
【００３２】
また、自動製氷エリア(10L)の製氷皿(13)と、製氷皿載置エリア(10R)の製氷皿(7)に互換性を持たせ、自動製氷エリア(10L)の製氷皿(13)を外して代わりに製氷皿(7)を取り付けるようにしている。
【産業上の利用可能性】
【００３３】
本発明の自動製氷機は、上記実施形態に限定されず、また、冷凍冷蔵庫の冷蔵室、冷演室、製氷室等の配置関係は、上記形態に限定されず、本発明の技術的範囲を逸脱しない限り種々の冷凍冷蔵庫の形態に適用できるものである。
【図面の簡単な説明】
【００３４】
【図１】本発明の実施例１の冷凍冷蔵庫の正面図である。
【図２】実施例１の冷凍冷蔵庫の一部の斜視図である。
【図３】実施例１の冷凍冷蔵庫の一部の斜視図である。
【図４】実施例１の冷凍冷蔵庫の一部の斜視図である。
【図５】実施例１の冷凍冷蔵庫の一部の斜視図である。
【図６】実施例１の冷凍冷蔵庫の一部の斜視図である。
【図７】実施例１の冷凍冷蔵庫の一部の斜視図である。
【図８】実施例１の自動製氷機の斜視図である。
【図９】実施例１の自動製氷機の斜視図である。
【図１０】実施例１の自動製氷機の斜視図である。
【図１１】実施例１の自動製氷機の斜視図である。
【図１２】実施例１の自動製氷機の分解斜視図である。
【図１３】実施例１のアイス室ドアの斜視図である。
【図１４】実施例１のアイス室の正面図である。
【図１５】実施例１のアイス室の正面図である。
【符号の説明】
【００３５】
(3)アイス室の引出ドア
(7)第２の製氷皿
(8)貯氷容器
(8b,8c)貯氷容器の左右壁
(9)アイス室
(9a)アイス室の天井部
(9b,9c)保持部
(10)自動製氷機
(10b,10c)自動製氷機上部左右端
(12)モータ部
(13)製氷皿
(14)引出部
【図１】
2006105429.tif 000003
【図２】
2006105429.tif 000004
【図３】
2006105429.tif 000005
【図４】
2006105429.tif 000006
【図５】
2006105429.tif 000007
【図６】
2006105429.tif 000008
【図７】
2006105429.tif 000009
【図８】
2006105429.tif 000010
【図９】
2006105429.tif 000011
【図１０】
2006105429.tif 000012
【図１１】
2006105429.tif 000013
【図１２】
2006105429.tif 000014
【図１３】
2006105429.tif 000015
【図１４】
2006105429.tif 000016
【図１５】
2006105429.tif 000017